(57)【要約】音響信号に基づいて音波振動を調整するコールドブリューコーヒー抽出装置が開示される。本発明の一実施形態によれば、音響信号に基づいて音波振動を調整するコールドブリューコーヒー抽出装置は、一方向に延長形成されて外周縁部の接線方向に交流電流が印加されるようにする電流支持部、前記電流支持部の一端を内部に収容して前記電流支持部を横切る方向に磁場を形成することによって、前記交流電流の極性変化に応じて前記電流支持部の長手方向に沿って振動する磁気振動部、前記磁気振動部と結合して前記振動を粒状の物質が含まれた流体に伝達するプレート部、及び前記第１モードで、ユーザインタフェースを介して入力された設定情報のみに基づいて前記振動を調整し、第２モードで前記設定情報及び外部音源に基づいて前記振動を調整する振動調整回路を含む。
2019521718.tif 000002
【特許請求の範囲】
【請求項１】
電場を生成する電流支持部と、
磁場を形成し、交流電流の極性変化に応じて前記電流支持部により生成された電場によって振動する磁気振動部と、
前記磁気振動部と結合して前記振動を粒状の物質が含まれた流体に伝達するプレート部と、
第１モードで、ユーザインタフェースを介して入力された振幅及び周波数が含まれた設定情報に基づいて前記振動を調整し、第２モードで、前記設定情報及び振幅と周波数が含まれた外部音源に基づいて前記振動を調整する振動調整回路と、を含み、
前記振動調整回路は、
前記外部音源から音源情報を抽出する音源処理部と、
前記設定情報の振幅及び周波数により前記磁気振動部の振動を調整する前記第１モードの制御信号を生成し、前記設定情報及び前記音源情報のそれぞれに含まれた振幅及び周波数により、前記磁気振動部の振動を調整する前記第２モードの制御信号を生成して振動を調整する振動調整部と、
を含む、音響信号に基づいて音波振動を調整するコールドブリューコーヒー抽出装置。
【請求項２】
前記電流支持部は一方向に延長形成され、前記磁気振動部は前記電流支持部を横切る方向に磁場を形成する、請求項１に記載の音響信号に基づいて音波振動を調整するコールドブリューコーヒー抽出装置。
【請求項３】
第１モードは、ユーザインタフェースを介して入力された振幅及び周波数が含まれた設定情報のみに基づいて前記振動を調整するモードである、請求項１に記載の音響信号に基づいて音波振動を調整するコールドブリューコーヒー抽出装置。
【請求項４】
前記電流支持部の外周縁部の接線方向に交流電流が印加される、請求項２に記載の音響信号に基づいて音波振動を調整するコールドブリューコーヒー抽出装置。
【請求項５】
前記電流支持部の一端は前記磁気振動部の内部に収容され、前記磁気振動部は前記交流電流の極性変化に応じて前記電流支持部の長手方向に沿って振動する、請求項２に記載の音響信号に基づいて音波振動を調整するコールドブリューコーヒー抽出装置。
【請求項６】
前記振動調整回路は、前記外部音源を格納するメモリをさらに含む、請求項２又は３に記載の音響信号に基づいて音波振動を調整するコールドブリューコーヒー抽出装置。
【請求項７】
前記設定情報及び前記音源情報のそれぞれは振幅及び周波数を含み、
前記振動調整部は、第２モードで、前記磁気振動部の振動の振幅が、前記設定情報に含まれた振幅と前記音源情報に含まれた振幅とを合算した値になるよう前記制御信号を生成する、請求項２又は３に記載の音響信号に基づいて音波振動を調整するコールドブリューコーヒー抽出装置。
【請求項８】
前記設定情報及び前記音源情報のそれぞれは振幅及び周波数を含み、
前記振動調整部は、第２モードで、前記磁気振動部の振動の周波数が、前記設定情報に含まれた周波数と前記音源情報に含まれた周波数とを合算した値になるよう前記制御信号を生成する、請求項２又は３に記載の音響信号に基づいて音波振動を調整するコールドブリューコーヒー抽出装置。
【発明の詳細な説明】
【技術分野】
【０００１】
本発明の概念に係る実施形態は、音響信号に基づいて音波振動を調整するコールドブリューコーヒー抽出装置に関し、より詳しくは、コーヒーの水溶液が入った容器に加えられる音波振動を調整できるコールドブリューコーヒー抽出装置に関する。
【背景技術】
【０００２】
コールドブリューコーヒーとは、冷たい水又は常温の水を用いて淹れたコーヒーであって、伝統的な方式によるコーヒーと比較して苦味があまりなく、豊かな風味を感じることができる。ここで、コールドブリューコーヒーを楽しむ人口も爆発的に増えている。
【０００３】
一方、コールドブリューコーヒーは、製造方式によって、滴下式及び浸出式コールドブリューコーヒーに分離される。滴下式コールドブリューコーヒーは、重力によって落下する水を粉砕されたコーヒーに落として透過させることで製造され、浸出式コールドブリューコーヒーは、粉砕されたコーヒーを水の入った容器から抜き出すことにより製造される。ただし、コールドブリューコーヒーはいかなる製造方式であっても長時間かかる短所があり、商業的な用途として販売することが困難である。
【０００４】
ただし、上述したコールドブリューコーヒーの問題点を解決するために、浸出式コールドブリューコーヒー抽出装置として、本願の発明者による先出願登録特許（特許登録番号第１０−１６３０２６２号）が登録公告されている。
【０００５】
しかし、先出願登録特許によっても、忙しい現代人のコーヒー文化を考慮して、時間的な側面及び感性的な側面で改善しなければならない点は依然として残っている。
【発明の概要】
【発明が解決しようとする課題】
【０００６】
本発明が達成しようとする技術的な課題は、コーヒーの水溶液が入った容器に加えられる音波振動を調整することで、現代人のコーヒー文化を考慮して時間的な側面及び感性的な側面でコーヒーの抽出効果を向上させることができる、音響信号に基づいて音波振動を調整するコールドブリューコーヒー抽出装置を提供することにある。
【課題を解決するための手段】
【０００７】
本発明の一実施形態に係る音響信号に基づいて音波振動を調整するコールドブリューコーヒー抽出装置は、電場を生成する電流支持部と、磁場を形成し、交流電流の極性変化に応じて前記電流支持部により生成された電場によって振動する磁気振動部と、前記磁気振動部と結合して前記振動を粒状の物質が含まれた流体に伝達するプレート部と、第１モードで、ユーザインタフェースを介して入力された振幅及び周波数が含まれた設定情報に基づいて前記振動を調整し、第２モードで、前記設定情報及び振幅と周波数が含まれた外部音源に基づいて前記振動を調整する振動調整回路とを含む。
【０００８】
一実施形態によれば、上述した振動調整回路は、前記外部音源から音源情報を抽出する音源処理部と、前記設定情報の振幅及び周波数により前記磁気振動部の振動を調整する前記第１モードの制御信号を生成し、前記設定情報及び前記音源情報のそれぞれに含まれた振幅及び周波数により、前記磁気振動部の振動を調整する前記第２モードの制御信号を生成して振動を調整する振動調整部とを含み得る。
【０００９】
一実施形態によれば、前記電流支持部は一方向に延長形成され、前記磁気振動部は前記電流支持部を横切る方向に磁場を形成し得る。
【００１０】
一実施形態によれば、第１モードは、ユーザインタフェースを介して入力された振幅及び周波数が含まれた設定情報のみに基づいて前記振動を調整するモードであり得る。
【００１１】
一実施形態によれば、前記電流支持部の外周縁部の接線方向に交流電流が印加され得る。
【００１２】
一実施形態によれば、前記電流支持部の一端は前記磁気振動部の内部に収容され、前記磁気振動部は、前記交流電流の極性変化に応じて前記電流支持部の長手方向に沿って振動し得る。
【００１３】
一実施形態によれば、前記振動調整回路は、前記外部音源を格納するメモリをさらに含み得る。
【００１４】
一実施形態によれば、前記設定情報及び前記音源情報のそれぞれは振幅及び周波数を含み、前記振動調整部は、第２モードで、前記磁気振動部の振動の振幅が、前記設定情報に含まれた振幅と前記音源情報に含まれた振幅を合算した値になるよう前記制御信号を生成し得る。
【００１５】
一実施形態によれば、前記設定情報及び前記音源情報のそれぞれは振幅及び周波数を含み、前記振動調整部は、第２モードで、前記磁気振動部の振動の周波数が、前記設定情報に含まれた周波数と前記音源情報に含まれた周波数を合算した値になるよう、前記制御信号を生成し得る。
【発明の効果】
【００１６】
本発明の一実施形態に係る音響信号に基づいて音波振動を調整するコールドブリューコーヒー抽出装置は、商業的な用途で設置されて実施される場合、設定情報及びコーヒーの購買者により選択された外部音源に基づいてコールドブリューコーヒーを抽出することができる。
【００１７】
また、本発明の一実施形態に係る音響信号に基づいて音波振動を調整するコールドブリューコーヒー抽出装置は、コーヒーの購買者により選択された外部音源を再生すると同時に実施されることで、コーヒーの購買者が時間的な側面及び感性的な側面で向上したコーヒー文化を楽しむことを可能にする。
【図面の簡単な説明】
【００１８】
本発明の詳細な説明から引用される図面を十分に理解するために各図面の簡単な説明が提供される。
【００１９】
【図１ａ】図１（ａ）は、本発明の一実施形態に係る音響信号に基づいて音波振動を調整するコールドブリューコーヒー抽出装置を示す外形図であって、本発明の一実施形態に係るコールドブリューコーヒー抽出装置の斜視図である。
【図１ｂ】図１（ｂ）は、本発明の一実施形態に係る音響信号に基づいて音波振動を調整するコールドブリューコーヒー抽出装置を示す外形図であって、本発明の一実施形態に係るコールドブリューコーヒー抽出装置の正面図である。
【図２ａ】図２（ａ）は、プレート部を含み、図１に示す本体部の内部に含まれた主な構成要素をより詳細に示す図である。
【図２ｂ】図２（ｂ）は、図２（ａ）に示すＡ−Ａ’の線に沿って横切った断面図である。
【図３】図３は、本体部に含まれた構成であって、磁気振動部の振動を調整するための振動調整回路の構成ブロック図である。
【図４ａ】図４（ａ）は、本体部の作動モードを説明するための図である。
【図４ｂ】図４（ｂ）は、本体部の作動モードを説明するための図である。
【図４ｃ】図４（ｃ）は、本体部の作動モードを説明するための図である。
【図５ａ】図５（ａ）は、設定情報を示す図である。
【図５ｂ】図５（ｂ）は、設定情報を示す図である。
【図５ｃ】図５（ｃ）は、音源情報を示す図である。
【図５ｄ】図５（ｄ）は、音源情報を示す図である。
【発明を実施するための形態】
【００２０】
本発明は、様々な変更を加えることができ、様々な実施形態を有することができるが、特定の実施形態を図面に例示し、これを詳細な説明を介して詳細に説明しようとする。しかし、これは本発明を特定の実施形態に対して限定しようとするものではなく、本発明の思想及び技術範囲に含まれる全ての変更、均等物ないし代替物を含むものとして理解されなければならない。
【００２１】
本発明の説明において、関連する公知技術に対する具体的な説明が本発明の要旨を不要に曖昧にすると判断される場合、その詳細な説明は省略する。また、本明細書の説明過程において用いられる数字（例えば、第１、第２など）は１つの構成要素を他の構成要素と区分するための識別記号に過ぎない。
【００２２】
また、本明細書において、一構成要素が他の構成要素と「連結される」又は「接続される」などの記載があれば、前記一構成要素が前記他の構成要素と直接連結されたり、又は直接接続されることもできるが、特に反対となる記載がなければ、中間に更なる構成要素を媒介して連結されたり、又は接続され得るものとして理解されなければならないだろう。
【００２３】
以下の説明で用いられる構成要素に対する接尾辞「モジュール」及び「部」は、明細書の作成において簡潔さのみを考慮して付与されたり混用されたものであって、その自体として互いに区別される意味又は役割を有するものではない。また、本発明を明確に説明するために説明と関係のない部分は図面から省略し、図面において構成要素の幅、長さ、厚さなどは便宜のために誇張して表現され得る。明細書の全体にわたって同じ参照符号は同じ構成要素を示す。
【００２４】
以下、添付する図面を参照しながら本発明の実施のための具体的な内容を説明するようにする。
【００２５】
図１（ａ）及び図１（ｂ）は、本発明の一実施形態に係る音響信号に基づいて音波振動を調整するコールドブリューコーヒー抽出装置を示す外形図である。より詳しくは、図１（ａ）は、本発明の一実施形態に係るコールドブリューコーヒー抽出装置の斜視図であり、図１（ｂ）は、本発明の一実施形態に係るコールドブリューコーヒー抽出装置の正面図である。
【００２６】
図１（ａ）及び図１（ｂ）を参照すれば、コールドブリューコーヒー抽出装置１は、コーヒーの水溶液が入った容器に振動を加えて短時間にコールドブリューコーヒーを抽出する。そのために、コールドブリューコーヒー抽出装置１は本体部１０及びプレート部３０を含み、本体部１０は、表示部５０及びユーザインタフェース７０をさらに含む。
【００２７】
本明細書において本体部１０の上面にプレート部３０が配置され、本体部１０の正面に表示部５０及びユーザインタフェース７０が配置されるものと仮定したが、本発明の範囲がこれに限定されることはない。実施形態により、本体部１０とプレート部３０は互いに離隔して配置され、表示部５０及びユーザインタフェース７０も本体部１０と離隔して配置されてもよい。この場合、表示部５０及びユーザインタフェース７０は、本体部１０と遠隔で通信して相互情報を交換し得る。
【００２８】
本体部１０は、内部に含まれた構成要素を用いて振動を生成し、生成された振動をプレート部３０に伝達することで、プレート部３０がその上面に置かれた容器に音波振動を加える。
【００２９】
一方、プレート部３０の上面には流体を入れることができる容器が位置する。前記容器は、粒状の物質が含まれた流体を入れる容器であって、実施形態により粉砕されたコーヒーと水が混ざったコーヒーの水溶液を入れてもよい。
【００３０】
本体部１０は、生成された振動をプレート部３０に伝達することで前記容器に音波振動を加え、これによって、前記粉砕されたコーヒーが前記水にもっと溶解し易くすることで、コールドブリューコーヒーの抽出時間を大幅短縮させることができる。
【００３１】
一方、本体部１０は、振動を生成するために複数の構成要素をさらに含む。より具体的な説明は、図２（ａ）及び図２（ｂ）を参照して説明することにする。
【００３２】
図２（ａ）は、プレート部を含み、図１に示す本体部の内部に含まれた主な構成要素をより詳細に示す図である。図２（ｂ）は、図２（ａ）に示すＡ−Ａ’の線に沿って横切った断面図である。
【００３３】
本体部１０は、電流支持部１１０、磁気振動部１３０、ガイド部１５０、及びベース部１７０を含み、実施形態によって冷却部１９０をさらに含み得る。
【００３４】
電流支持部１１０は、交流電流が入力されて電場を生成する。磁気振動部１３０は、前記電場と同じ領域に磁場を生成し、前記電場の強度の変化に応じて振動する。
【００３５】
電流支持部１１０は、前記電場を生成するためにボビン及び前記ボビンに取り巻かれたボイスコイルを含む。
【００３６】
磁気振動部１３０は、前記磁場を生成するためにマグネット及びパネルを含む。前記マグネットは永久磁石であり、前記パネルは磁性体にそれぞれ実現される。
【００３７】
ガイド部１５０は、プレート部３０とベース部１７０との間に接するよう配置され、プレート部３０とベース部１７０の上下の動きをガイドする。
【００３８】
ガイド部１５０は、プレート部３０とベース部１７０の上下の動きをガイドするため、シャフト、リニアブッシュベアリング、弾性ばね、及び緩衝部材を含む。
【００３９】
ベース部１７０は、内部に含まれた冷却部１９０と共に電流支持部１１０及び磁気振動部１３０で発生する熱を迅速に外部に放出する。ベース部１７０は、前記熱を迅速に放出するために、熱伝導度の高い材質から実現され得る。
【００４０】
再び図１を参照すれば、表示部５０は、本体部１０の内部から生成された振動に関する情報を表示する。実施形態により、表示部５０は、本体部１０の作動モード５１０、前記振動の周波数５３０、強度５５０、及び振動時間５７０を表示する。しかし、本発明の範囲がこれに限定されることはない。他の実施形態によって、表示部５０は、プレート部３０がその上面に置かれた容器に加える音波振動に関する情報を表示してもよい。
【００４１】
ユーザインタフェース７０は、本体部１０が振動を生成するために必要な情報が外部から入力され、入力された情報を本体部１０に伝達する。
【００４２】
プレート部３０は、本体部１０が生成した振動をその上面に置かれた容器に伝達する。
【００４３】
一方、本体部１０は、電流支持部１１０に入力される前記交流電流を制御することで、電流支持部１１０が生成する電場を制御し、さらに、前記電場の強度の変化に応じて振動する磁気振動部１３０の振動を調整し得る。
【００４４】
より詳細に、電流支持部１１０は一方向に延長形成され、本体部１０は、電流支持部１１０の外周縁部の接線方向に交流電流が印加されるようにする。磁気振動部１３０は、電流支持部１１０の一端を内部に収容し、電流支持部１１０を横切る方向に磁場を形成することで、前記交流電流の極性変化に応じて電流支持部１１０の長手方向に沿って振動する。本体部１０は、前記磁気振動部１３０の振動の調整のために振動調整回路をさらに含み得る。
【００４５】
ここで、磁気振動部１３０の振動の調整に関するより具体的な説明のために図３を参照することにする。図３は、本体部に含まれた構成として、磁気振動部の振動を調整するための振動調整回路の構成ブロック図である。
【００４６】
振動調整回路１０００は、振動調整部１２００、音源処理部１４００、及びメモリ１６００を含む。
【００４７】
振動調整部１２００は、磁気振動部１３０の振動を調整するための制御信号ａｃ＿ｃｏｎｔを生成する。
【００４８】
振動調整部１２００は、本体部１０の作動モード（以下、「作動モード」と称する；ｍｄ）により、制御信号ａｃ＿ｃｏｎｔを生成する。作動モードｍｄは、ユーザインタフェース７０を介して入力される。
【００４９】
振動調整部１２００は、作動モードｍｄの他に、ユーザインタフェース７０から設定情報ｐｒｅｄ＿ｉｎｆｏが入力され、音源処理部１４００から音源情報ｖｃ＿ｉｎｆｏがさらに入力される。音源情報ｖｃ＿ｉｎｆｏは、音源処理部１４００によってメモリ１６００に格納された様々な形態の音響信号（以下、「外部音源」と称する；ｅｘ＿ｖｃ）から抽出された情報であり得る。
【００５０】
実施形態により、振動調整部１２００は、作動モードｍｄ、設定情報ｐｒｅｄ＿ｉｎｆｏ、及び音源情報ｖｃ＿ｉｎｆｏを用いて制御信号ａｃ＿ｃｏｎｔを生成し、生成された制御信号ａｃ＿ｃｏｎｔにより磁気振動部１３０の振動を調整し得る。ここで、制御信号ａｃ＿ｃｏｎｔは、電流支持部１１０に入力される交流電流を制御するための信号であり得る。
【００５１】
ここで、振動調整部１２００が作動モードｍｄに応じて、磁気振動部１３０の振動を調整する過程をより詳細に説明するために、図４（ａ）〜（ｃ）を参照することにする。図４（ａ）〜（ｃ）は、本体部の作動モードを説明するための図である。
【００５２】
実施形態により、本体部１０は、複数（２以上）の作動モードの下で作動する。本明細書では説明の便宜のために、本体部１０が第１モード及び第２モードの下で作動するものと仮定する。また、振動調整部１２００は、前記第１モードで、ユーザインタフェース７０を介して入力された設定情報ｐｒｅｄ＿ｉｎｆｏのみに基づいて磁気振動部１３０の振動を調整し、前記第２モードで、前記設定情報ｐｒｅｄ＿ｉｎｆｏ及び外部音源ｅｘ＿ｖｃに基づいて前記振動を調整するものと仮定する。しかし、本発明の範囲がこれに限定されることはない。
【００５３】
図４（ａ）〜（ｃ）において、振動調整部１２００は、前記第１モードで、設定情報ｐｒｅｄ＿ｉｎｆｏのみに基づいて、予め設定された時間（すなわち、図４（ａ）の場合にＴ１、図４（ｂ）の場合にＴ３、図４（ｃ）の場合にＴ３−１）の間に作動する。実施形態により、前記予め設定された時間は３分以上３０分以下の範囲の時間に設定されるが、本発明の範囲がこれに限定されることはない。
【００５４】
図４（ａ）〜（ｃ）において、振動調整部１２００は、前記第２モードで、設定情報ｐｒｅｄ＿ｉｎｆｏ及び外部音源ｅｘ＿ｖｃに基づいて予め設定された時間（すなわち、図４（ａ）の場合にＴ１、図４（ｂ）の場合にＴ３、図４（ｃ）の場合にＴ３−１）の間に作動する。
【００５５】
一方、前記第２モードで、前記予め設定された時間が前記外部音源ｅｘ＿ｖｃの再生時間よりも大きい場合、振動調整部１２００は、複数の外部音源に基づいて作動する。この場合、振動調整部１２００は、実施形態によって同一の外部音源（すなわち、図４（ａ）の場合に「外部音源」、図４（ｂ）の場合に「外部音源１」）に基づいて作動する。また、他の実施形態によって、互いに異なる外部音源（すなわち、図４（ｃ）の場合に「外部音源１、外部音源２、及び外部音源３」）に基づいて作動してもよい。
【００５６】
ここで、振動調整部１２００が設定情報ｐｒｅｄ＿ｉｎｆｏ及び／又は外部音源ｅｘ＿ｖｃに基づいて作動する過程を説明するために、図５（ａ）〜（ｄ）を参照する。図５（ａ）及び図５（ｂ）はそれぞれ設定情報ｐｒｅｄ＿ｉｎｆｏを示す図であり、図５（ｃ）及び（ｄ）はそれぞれ音源情報ｖｃ＿ｉｎｆｏを示す図である。
【００５７】
ここで、設定情報ｐｒｅｄ＿ｉｎｆｏ及び音源情報ｖｃ＿ｉｎｆｏはそれぞれ振幅及び周波数を含み、音源情報ｖｃ＿ｉｎｆｏは、音源処理部１４００によってメモリ１６００に格納された外部音源ｅｘ＿ｖｃから抽出された情報であり得る。実施形態により、外部音源ｅｘ＿ｖｃから振幅及び周波数を抽出するために所定の周波数帯域が選択されるが、本発明の範囲がこれに限定されることはない。
【００５８】
振動調整部１２００は、前記第１モードで、設定情報ｐｒｅｄ＿ｉｎｆｏに含まれた振幅及び周波数に応じて制御信号ａｃ＿ｃｏｎｔを生成する。
【００５９】
振動調整部１２００は、前記第２モードにおいて、設定情報ｐｒｅｄ＿ｉｎｆｏ及び音源情報ｖｃ＿ｉｎｆｏのそれぞれに含まれた振幅及び周波数に応じて制御信号ａｃ＿ｃｏｎｔを生成する。
【００６０】
実施形態により、振動調整部１２００は、前記第２モードにおいて、磁気振動部１３０の振動の振幅が、設定情報ｐｒｅｄ＿ｉｎｆｏに含まれた振幅（すなわち、図５（ａ））と音源情報ｖｃ＿ｉｎｆｏの振幅（すなわち、図５（ｃ））を合算した値になるよう、制御信号ａｃ＿ｃｏｎｔを生成することができる。しかし、本発明の範囲がこれに限定されることはない。
【００６１】
実施形態により、振動調整部１２００は、前記第２モードにおいて、磁気振動部１３０の振動の周波数が、設定情報ｐｒｅｄ＿ｉｎｆｏに含まれた周波数（すなわち、図５（ｂ））と音源情報ｖｃ＿ｉｎｆｏの周波数（すなわち、図５（ｄ））を合算した値になるよう、制御信号ａｃ＿ｃｏｎｔを生成することができる。しかし、本発明の範囲がこれに限定されることはない。
【００６２】
すなわち、本体部１０は、複数の作動モードの下で作動し、実施形態によって前記第２モードで作動する場合に設定情報ｐｒｅｄ＿ｉｎｆｏのみならず、外部音源ｅｘ＿ｖｃに基づいて磁気振動部１３０を振動させ得る。
【００６３】
したがって、本発明の一実施形態に係る音響信号に基づいて音波振動を調整するコールドブリューコーヒー抽出装置が、商業的な用途で設けられて実施される場合、設定情報ｐｒｅｄ＿ｉｎｆｏ及びコーヒーの購買者により選択された外部音源ｅｘ＿ｖｃに基づいて、コールドブリューコーヒーが抽出されるようにする。
【００６４】
また、本発明の一実施形態に係る音響信号に基づいて音波振動を調整するコールドブリューコーヒー抽出装置は、コーヒーの購買者により選択された外部音源ｅｘ＿ｖｃを再生すると同時に実施されることにより、コーヒーの購買者は、時間的な側面及び感性的な側面で向上したコーヒー文化を楽しむことができる。
【００６５】
以上の説明は、本発明の技術思想を例示的に説明したものに過ぎず、本発明が属する技術分野で通常の知識を有する者であれば、本発明の本質的な特性から逸脱しない範囲で様々な修正及び変形が可能であろう。
【００６６】
したがって、本発明に開示された実施形態は、本発明の技術思想を限定するためのものでなく説明のためのものであり、このような実施形態によって本発明の技術思想の範囲が限定されることはない。
【００６７】
本発明の保護範囲は下記の請求の範囲によって解釈されなければならず、それと同等な範囲内にある全ての技術思想は、本発明の権利範囲に含まれるものと解釈されなければならない。
【符号の説明】
【００６８】
１：コールドブリューコーヒー抽出装置
１０：本体部
３０：プレート部
５０：表示部
７０：ユーザインタフェース
【図１ａ】
2019521718.tif 000003
【図１ｂ】
2019521718.tif 000004
【図２ａ】
2019521718.tif 000005
【図２ｂ】
2019521718.tif 000006
【図３】
2019521718.tif 000007
【図４ａ】
2019521718.tif 000008
【図４ｂ】
2019521718.tif 000009
【図４ｃ】
2019521718.tif 000010
【図５ａ】
2019521718.tif 000011
【図５ｂ】
2019521718.tif 000012
【図５ｃ】
2019521718.tif 000013
【図５ｄ】
2019521718.tif 000014
【国際調査報告】
2019521718.tif 000015
2019521718.tif 000016
2019521718.tif 000017
2019521718.tif 000018